(57)【要約】  【課題】  コンクリートによる凹凸を削り取りトンネル壁面を平滑にする作業の確実性及び作業容易性の向上、更には作業の迅速性の向上。  【解決手段】  コンクリートＣ１を削り取るスクレッパ本体１と、該スクレッパ本体１を揺動可能に支持する支持部２Ａ及び操作機器に対して取り付けるための連結部２Ｂを有した支持体２とを備えた。  【選択図】  図４
2008179946.tif 000002
【特許請求の範囲】
【請求項１】
掘削されたトンネルの壁面を支持する多数の支保工をトンネルの掘削方向に沿って並列状に建て込んだ後、吹き付けされたコンクリートによる凹凸を平滑に削り取るための支保工用スクレッパであって、
コンクリートを削り取るスクレッパ本体と、該スクレッパ本体を揺動可能に支持する支持部及び操作機器に対して取り付けるための連結部を有した支持体とを備えてなり、
前記スクレッパ本体は、その削り取り方向を揺動方向と交差する方向にしていることを特徴とする支保工用スクレッパ。
【請求項２】
前記スクレッパ本体が２枚の板状体からなり、該板状体は、その縁部側がコンクリートを削り取る部位であり、該削り取る部位の長手側が揺動方向と平行であることを特徴とする請求項１に記載の支保工用スクレッパ。
【請求項３】
前記スクレッパ本体が隣り合う支保工に亘って架け渡される長さの板状をなし、その平面部側がコンクリートを削り取る部位であり、該削り取る部位の長手側が揺動方向に平行であることを特徴とする請求項１に記載の支保工用スクレッパ。
【発明の詳細な説明】
【技術分野】
【０００１】
本発明は、掘削されたトンネルの壁面を支持する多数の支保工をトンネルの掘削方向に沿って並列状に建て込んだ後、吹き付けされたコンクリートによる凹凸を平滑に削り取るための支保工用スクレッパに関する。
【背景技術】
【０００２】
現在、トンネルを施工する際には、一般的に次の方法で行っている。
１．掘削
２．コンクリートの一次吹き付け
３．支保工の建て込み
４．コンクリートの二次吹き付け
５．コンクリートによる凹凸を削り取りトンネル壁面を平滑にする
６．ボルトによるコンクリート及び支保工の固定
７．覆工コンクリートの打設
【０００３】
前記したトンネルの施工方法によれば、コンクリートの吹き付けにより岩盤表面を外気に触れないようにして岩盤の風化を防ぐことができる。
又、一次及び二次吹き付けしたコンクリートと支保工とで一体とする支保構造を構築することにより、トンネルを支持して地山の崩落を防ぐことができる。
特に、コンクリートによる凹凸を削り取りトンネル壁面を平滑にすることにより、応力集中の発生を防ぎ、しかも覆工コンクリートの巻厚が一定になり品質が向上し、その上、覆工コンクリートの打設時のコンクリートの食い込みが抑えられるのでコストの低減が図れる。
【０００４】
ところで、前記したように応力集中の発生を防ぐ、品質の向上、コストの低減ということを実現するために、「５．コンクリートによる凹凸を削り取りトンネル壁面を平滑にする」ことにおいて、その確実性及び作業容易性、更には作業の迅速性が求められる。
前記コンクリートによる凹凸を削り取る手段としては、例えば、次の特許文献１に記載のスクレッパ（スクレーパ）等を用いて削り取ることが挙げられる。
【特許文献１】特開２００１-２０７７８７号公報
【０００５】
特許文献１に記載のスクレッパ（スクレーパ）は、地山を掘削してトンネルを形成するＴＢＭ（トンネルボーリングマシン）に設けられて、該ＴＢＭによる掘削時に生じる「ずり（掘削土）」土を掻き取るようにしたものである。
しかしながら、特許文献１では、掘削されたトンネルの壁面を支持する多数の支保工をトンネルの掘削方向に沿って並列状に建て込んだ後、吹き付けされたコンクリートによる凹凸を平滑に削り取るということに関して想定されておらず、その確実性及び作業容易性、更には作業の迅速性を実現できないものであると推察できる。
【発明の開示】
【発明が解決しようとする課題】
【０００６】
本発明は、コンクリートによる凹凸を削り取りトンネル壁面を平滑にする作業の確実性及び作業容易性の向上、更には作業の迅速性の向上を実現することを課題とし、この課題を解決する支保工用スクレッパの提供を目的とする。
【課題を解決するための手段】
【０００７】
前記目的を達成するため、本発明が採用した技術的手段は、掘削されたトンネルの壁面を支持する多数の支保工をトンネルの掘削方向に沿って並列状に建て込んだ後、吹き付けされたコンクリートによる凹凸を平滑に削り取るための支保工用スクレッパであって、コンクリートを削り取るスクレッパ本体と、該スクレッパ本体を揺動可能に支持する支持部及び操作機器に対して取り付けるための連結部を有した支持体とを備えてなり、前記スクレッパ本体は、その削り取り方向を揺動方向と交差する方向にしていることを特徴とする支保工用スクレッパにしたことである。
【０００８】
又、支保工に吹き付けられたコンクリートを効果的に削り取るということから、前記スクレッパ本体が２枚の板状体からなり、該板状体は、その縁部側がコンクリートを削り取る部位であり、該削り取る部位の長手側が揺動方向と平行であることを特徴とする支保工用スクレッパにすることが好ましい。
【０００９】
又、支保工間に吹き付けられたコンクリートを効果的に削り取るということから、前記スクレッパ本体が隣り合う支保工に亘って架け渡される長さの板状をなし、その平面部側がコンクリートを削り取る部位であり、該削り取る部位の長手側が揺動方向に平行であることを特徴とする支保工用スクレッパにすることが好ましい。
【００１０】
本発明でいう支保工とは、例えば、Ｈ鋼やアングル鋼等の各種鋼材をトンネルの断面形状に曲げ加工したものである。
又、本発明でいう操作機器とは、例えば、油圧ショベル等のような、角度や方向性の変更操作が可能なアームと、該アームに対して着脱可能なバケットとを有した建設機械であり、且つ前記バケットに換えて支保工用スクレッパを取り付けられるものであればよい、
又、本発明でいう支持体の連結部とは、例えば、前記アームに対して取り付けるためのアタッチメントを一体に備えたものや、アタッチメントを介してアームに取り付けるようなものが挙げられる。
【発明の効果】
【００１１】
本発明によれば、コンクリートによる凹凸を削り取りトンネル壁面を平滑にする作業の確実性及び作業容易性の向上、更には作業の迅速性の向上が実現できる。
【発明を実施するための最良の形態】
【００１２】
以下、本発明に係る支保工用スクレッパ（以下「スクレッパ」という）を実施するための最良の形態を図面に基づいて説明する。
図１〜図４に示すスクレッパＡは、支保工Ｃに吹き付けられたコンクリートＣ１を効果的に削り取るためのものであり、図５〜図７に示すスクレッパＢは、支保工Ｃ及び支保工Ｃ間に吹き付けられたコンクリートＣ１を効果的に削り取るためのものである。
【００１３】
スクレッパＡは、コンクリートを削り取るスクレッパ本体１と、該スクレッパ本体１を揺動可能に支持する支持部２Ａ及び操作機器に対して取り付けるための連結部２Ｂを有した支持体２とを備えて構成されている。
【００１４】
スクレッパ本体１は、略長方形とする２枚の鋼を用いた板状体１１，１２とからなり、該板状体１１，１２を互いに間隔をあけて平面部１１Ａ，１２Ａが正対するように配置すると共に、該平面部１１Ａ，１２Ａ同士を連結板１３で連結した一体構造としている。
又、スクレッパ本体１は、板状体１１，１２の長手側の縁部１１Ｂ，１２Ｂを、コンクリートＣ１を削り取る部位にし、該縁部１１Ｂ，１２Ｂの対面方向をコンクリートＣ１の削り取り方向にしている。
又、前記縁部１１Ｂ，１２Ｂは、図２及び図３において上下両方にあり、スクレッパＡの使用方向を上下いずれも使用できるようにしている。
【００１５】
図中、符号１４は、前記支持部２Ａがスクレッパ本体１を支持するための軸部であり、該軸部１４が前記平面部１１Ａ，１２Ａに亘って固着されている。
尚、以下では、前記縁部を刃先部といい換えて説明し、該刃先部に符号１１Ｂ，１２Ｂを付す。
【００１６】
前記板状体１１，１２は、少なくとも刃先部１１Ｂ，１２Ｂに相当する部位を焼入れ及び焼戻ししてコンクリートＣ１を削り取る刃先部１１Ｂ，１２Ｂとして構成したもの、あるいは、焼入れ及び焼戻しを施した板材を刃先部１１Ｂ，１２Ｂに相当する部位に溶接してコンクリートＣ１を削り取る刃先部１１Ｂ，１２Ｂを構成したものであり、この構成によりコンクリートＣ１の固さに負けない強度を有する刃先部１１Ｂ，１２Ｂを形成している。
【００１７】
支持体２は、その支持部２Ａが前記板状体１１，１２の間に位置し、スクレッパ本体１側の端部に前記軸部１４に対して同心で回動可能に嵌合する嵌合管２１を有し、反対側の端部には、油圧ショベル等の建設機械（図示せず）のアーム（図示せず）に取り付けるアタッチメントＤが挿入される挿入管からなる連結部２Ｂを有して構成されている。
この構成により、前記建設機械のアームに対して着脱でき、スクレッパ本体１を削り方向と交差する方向に揺動可能に支持することができる。
尚、本形態では、前記連結部２ＢにアタッチメントＤが挿入されて連結するようにしており、この構成によりスクレッパＡの着脱が抜き差しにより容易にできるようになっているが、本発明では、この形態に限定されるものではない。
【００１８】
本形態のスクレッパＡによれば、図４に示すように、スクレッパ本体１の長手方向を支保工Ｃの長手方向と交差するように対面させて、刃先部１１Ｂ，１２ＢをコンクリートＣ１に接触させた位置にする。
このとき、支持体２に対してスクレッパ本体１が揺動するので、刃先部１１Ｂ，１２Ｂを所定位置にする操作を容易に行える。
そして、スクレッパ本体１を支保工Ｃの長手方向に沿って移動させながら、コンクリートＣ１に対して押付けることにより、支保工Ｃに付着したコンクリートＣ１を削り取ることができる。
このとき、支持体２に対してスクレッパ本体１が揺動するので、図４に示すように刃先部１１Ｂ，１２Ｂを支保工Ｃのケレン面Ｃ２に対して平行に接触させることができるので、コンクリートＣ１を残さず確実に凹凸なく平滑に削り取ることができる。
【００１９】
次に、本形態のスクレッパＢの構成を説明すると、スクレッパ本体１は、長手方向が隣り合う支保工Ｃに亘って架け渡される長さの板状をなし、支保工Ｃと対面する平面部１５がコンクリートＣ１を削り取る部位であり、該平面部１５が支保工Ｃと、該支保工Ｃ間のコンクリートＣ１と対面するようにされている。
又、スクレッパ本体１は、その短手側方向をコンクリートＣ１の削り取り方向にしている。
又、スクレッパ本体１は、少なくとも平面部１５に相当する部位を焼入れ及び焼戻ししてコンクリートＣ１を削り取る平面部１５として構成したもの、あるいは、焼入れ及び焼戻しを施した板材を平面部１５に相当する部位に溶接してコンクリートＣ１を削り取る平面部１５を構成したものであり、この構成によりコンクリートＣ１の固さに負けない強度を有する平面部１５を形成している。
【００２０】
図中、符号１６は、支持体２に対してスクレッパ本体１を揺動可能に軸支するための軸部であり、該軸部１６は、その軸心方向をスクレッパ本体１の短手方向と平行にしている。
【００２１】
支持体２は、前記軸部１６に軸支される支持部２Ａと、アタッチメントＤが抜き差し可能に挿入される挿入管からなる連結部２Ｂを有して構成されている。
支持部２Ａは、前記軸部１６が貫通する貫通孔２３Ａが開孔された板状のものであり、前記連結部２Ｂのスクレッパ本体１側端部に固着されている。
この構成により、前記建設機械のアームに対して着脱でき、スクレッパ本体１を削り方向と交差する方向に揺動可能に支持することができる。
図中、符号２４は、バランスウエイトである。
尚、本形態では、前記連結部２ＢにアタッチメントＤが挿入されて連結するようにしており、この構成によりスクレッパＢの着脱が抜き差しにより容易にできるようになっているが、本発明では、この形態に限定されるものではない。
【００２２】
本形態のスクレッパＢによれば、図７に示すように、スクレッパ本体１の平面部１５をその長手方向が支保工Ｃの長手方向と交差するように、且つ支保工間に架け渡されるように対面させて、該平面部１５をコンクリートＣ１に接触させた位置にする。
このとき、支持体２に対してスクレッパ本体１が揺動するので、平面部１５を所定位置にする操作を容易に行える。
そして、スクレッパ本体１を支保工Ｃの長手方向に沿って移動させながら、コンクリートＣ１に対して押付けることにより、支保工Ｃに付着したコンクリートＣ１を削り取ると共に、支保工Ｃ間のコンクリートＣ１を削り取ることができる。
このとき、支持体２に対してスクレッパ本体１が揺動するので、図７に示すように、平面部１５を支保工Ｃのケレン面Ｃ２に対して平行に接触させることができるので、該ケレン面Ｃ２ばかりでなく、支保工Ｃ間のコンクリートＣ１を凹凸なく平滑に、しかもケレン面Ｃ２と同面に削り取ることができる。
【００２３】
なお、本発明は、例示した実施の形態に限定するものでは無く、特許請求の範囲の各項に記載された内容から逸脱しない範囲の構成による実施が可能である。
【図面の簡単な説明】
【００２４】
【図１】本発明に係る支保工用スクレッパ（Ａ）の平面図。
【図２】同、側面図。
【図３】同、正面図。
【図４】支保工用スクレッパ（Ａ）の使用状態を示す。
【図５】本発明に係る支保工用スクレッパ（Ｂ）の底面図。
【図６】同、側面図。
【図７】支保工用スクレッパ（Ｂ）の使用状態を示す。
【符号の説明】
【００２５】
Ａ：スクレッパ（支保工用スクレッパ）
Ｂ：スクレッパ（支保工用スクレッパ）
Ｃ：支保工
Ｃ１：コンクリート
Ｃ２：ケレン面
１：スクレッパ本体
２：支持体
１１：板状体
１２：板状体
１４：軸部
１１Ａ：刃先部（縁部）
１２Ｂ：刃先部（縁部）
１５：平面部
１６：軸部
２Ａ：支持部
２Ｂ：連結部
２１：嵌合管
２３Ａ：貫通孔
【図１】
2008179946.tif 000003
【図２】
2008179946.tif 000004
【図３】
2008179946.tif 000005
【図４】
2008179946.tif 000006
【図５】
2008179946.tif 000007
【図６】
2008179946.tif 000008
【図７】
2008179946.tif 000009